(57)【要約】【課題】動作開始又は再開直後から高精度に媒質中の測定対象分子の数量や密度を測定する光学式物理量測定装置及びその光源制御方法を提供すること。【解決手段】測定用光検出部１０２は、光源１０１が出力する光に応じた信号を測定出力として出力する。光源状態検出部１０５は、光源１０１の状態を取得する。光源制御部１０３は、光源１０１の駆動状態を制御する。演算部１０４は、測定用光検出部１０２からの測定出力に基づいて測定対象分子の数量又は密度を算出する。光源制御部１０３は、演算部１０４からの命令により光源１０１に対して複数の駆動条件で、かつ、光源状態検出部１０５から取得される光源状態に応じて電力供給状態を制御する。演算部１０４は、光源制御部１０３を介して光源１０１を周期的に駆動する。【選択図】図１
2017150930.tif 000002
【特許請求の範囲】
【請求項１】
複数の駆動条件を用いて装置本体内に収納された光源を周期的に駆動する光学式物理量測定装置であって、
前記光源が出力する光に応じた信号を測定出力として出力する測定用光検出部と、
前記光源の状態を取得する光源状態検出部と、
前記光源の駆動状態を制御する光源制御部と、
前記測定用光検出部からの測定出力に基づいて測定対象分子の数量又は密度を算出する演算部と、
を備える光学式物理量測定装置。
【請求項２】
前記光源制御部が、前記演算部からの命令により前記光源に対して複数の駆動条件で電力供給状態を制御し、かつ、前記光源状態検出部から取得される光源状態に応じて電力供給状態を制御する請求項１に記載の光学式物理量測定装置。
【請求項３】
前記演算部が、前記光源制御部を介して前記光源を周期的に駆動する請求項１又は２に記載の光学式物理量測定装置。
【請求項４】
前記光源状態検出部が、前記光源と前記光源制御部の間に設けられ、前記光源の抵抗値に基づいて前記光源の状態を取得する請求項１，２又は３に記載の光学式物理量測定装置。
【請求項５】
前記光源状態検出部が、前記光源から出力される光の内、前記測定用光検出部とは別の波長帯に感度を有する参照用光検出部の出力に基づいて前記光源の状態を取得する請求項１，２又は３に記載の光学式物理量測定装置。
【請求項６】
複数の駆動条件を用いて光源を周期的に駆動する光学式物理量測定装置の光源制御方法であって、
第ｎ（ｎは１以上の整数）周期目の開始時に所定の駆動条件により前記光源を駆動する第１のステップと、
前記第１のステップの期間中の所定のタイミングで前記光源の状態を取得する第２のステップと、
前記第２のステップで取得した前記光源の状態に基づいて該第１のステップによる駆動を継続するか終了するかを決定する第３のステップと、
を有する光学式物理量測定装置の光源制御方法。
【請求項７】
前記第ｎ（ｎは１以上の整数）周期目の開始時に実行される前記光源の駆動条件は、前記複数の駆動条件の内の１つである請求項６に記載の光学式物理量測定装置の光源制御方法。
【請求項８】
前記第２のステップでは、前記光源の抵抗値に基づいて前記光源の状態を取得する請求項６又は７記載の光学式物理量測定装置の光源制御方法。
【請求項９】
前記第２のステップでは、参照用光検出部の出力に基づいて前記光源の状態を取得する請求項６又は７記載の光学式物理量測定装置の光源制御方法。
【請求項１０】
前記ｎが１である請求項６乃至９のいずれか１項に記載の光学式物理量測定装置の光源制御方法。
【発明の詳細な説明】
【技術分野】
【０００１】
本発明は、光学式物理量測定装置及びその光源制御方法に関し、より詳細には、測定装置本体の動作開始又は再開直後から高精度に媒質中の測定対象分子の数量や密度を測定することができる光学式物理量測定装置及びその光源制御方法に関する。
【背景技術】
【０００２】
従来、赤外線や紫外線、Ｘ線などの光の吸収、回折、散乱等を用いて媒質中の測定対象分子の数量や密度を測定する方法が知られている。
例えば、赤外線光源を用いて測定対象ガスの濃度測定を行うガス濃度測定装置としては、非分散赤外線吸収型（Ｎｏｎ−Ｄｉｓｐｅｒｓｉｖｅ  Ｉｎｆｒａｒｅｄ）ガス濃度測定装置が知られている。非分散赤外線吸収型ガス濃度測定装置は、ガスの種類によって吸収される赤外線の波長が異なることを利用し、この吸収量を検出することによりそのガス濃度を測定する。
この原理を用いたガス濃度測定装置として、例えば、測定対象ガスが吸収特性を持つ波長に限定した赤外線を透過するフィルタ（透過部材）と赤外線センサとを組み合わせ、測定対象ガスが吸収する赤外線の吸収量を測定することによってガスの濃度を測定するように構成された装置が挙げられる。
【０００３】
また、この原理を応用した炭酸ガス濃度測定装置が、特許文献１に開示されている。この特許文献１に開示された炭酸ガス濃度測定装置は、測定対象ガスによる赤外線の吸収が生じない波長域（以下、「測定対象ガスによる非吸収帯域」、又は単に「非吸収帯域」と称する場合がある）の赤外線を選択的に透過する参照用フィルタと、測定対象ガスによる赤外線の吸収が生じる波長域（以下、「測定対象ガスによる吸収帯域」、又は単に「吸収帯域」と称する場合がある）の赤外線を選択的に透過する測定用フィルタとをそれぞれ配置した赤外線検出素子を複数配置し、それぞれの赤外線検出素子からの出力信号に基づいて測定対象ガスの検出や濃度測定を行う。
このような炭酸ガス濃度測定装置及び炭酸ガス検出方法は、検出精度や出力の安定性を向上させることができることが、特許文献１には記載されている。以下、炭酸ガスを含めてガス濃度を測定する装置及び方法を総称してガス濃度測定装置及びガス濃度測定方法という。
【０００４】
例えば、特許文献１に開示された炭酸ガス濃度測定装置の動作原理は、波長による吸収度合いの差異を炭酸ガス検出に応用したものである。光源であるセラミックヒータから放射された赤外線において、波長４．３μｍ付近の赤外線は、気体容器内の炭酸ガスにより吸収されて、その放射強度が低下する。一方、波長３．９μｍ付近の赤外線は、炭酸ガスによる吸収はなく、その放射強度が低下することはない。そして、ガス測定装置の気体容器内を通過した異なる波長を含む赤外線から、波長４．３μｍと波長３．９μｍとの２波を、２波それぞれに対応した通過帯域を有する２種類の光学フィルタで濾波選別する。これら波長の異なる赤外線それぞれの放射強度に基づいて、気体容器内の炭酸ガスの濃度が算出される。
セラミックヒータの放射強度分布は、炭酸ガスの赤外線吸収スペクトルを含み、２μｍ〜５０μｍの波長領域でブロードであり、炭酸ガスの赤外線吸収スペクトル付近の波長領域で十分な放射強度を有する。したがって、光源にセラミックヒータを用いたガス測定装置の検出精度及び出力の安定性は向上する。
【先行技術文献】
【特許文献】
【０００５】
【特許文献１】特開平９−３３４３１号公報
【発明の概要】
【発明が解決しようとする課題】
【０００６】
例えば、従来技術による非分散赤外線吸収型ガス濃度測定装置は、種々の方法で光源を動作させ赤外線検出部で検出された信号を用いている。このとき、例えば、光源を所定時間点灯させている間に赤外線検出部から検出された信号の最大値や、光源が点灯している時の所定期間に赤外線検出部から検出された信号を積分した値や、光源の点灯開始から所定時間経過後に赤外線検出部で検出された信号などを用いている。
また、実際のガス濃度測定装置の使用においては、必要とされるガス濃度測定結果の更新速度に応じて光源を周期的に点滅させたり、光源の発光強度を周期的に変化させることで消費電力を低減することができる。この周期動作による低消費電力化は、例えば、電力供給を断つ消灯状態と、ある既定の駆動条件で電力を供給する点灯状態を交互に繰り返すことによって実現できるし、また、上述した消灯の代わりに他のある既定の駆動条件で電力を供給する状態を交互に繰り返すことによっても実現できる。
【０００７】
しかし、光源は電力の供給に応じて発熱し、光源の温度は時間とともに変化する。このとき、光源の温度変化によって光源から出力される赤外線の光量やスペクトルも変化する。このとき、白熱電球やセラミックヒータ、ＭＥＭＳ（Ｍｉｃｒｏ  Ｅｌｅｃｔｒｏ  Ｍｅｃｈａｎｉｃａｌ  Ｓｙｓｔｅｍｓ）ヒータを光源として使用する場合は、熱源でもある光源からの黒体輻射として光が放出されるので、原理的に光源の温度変化は光量やスペクトルの変化となる。
【０００８】
また、水銀ランプを光源として使用する場合には、光源周囲の温度が変化するとランプ内の水銀の蒸気圧が変化することに依り、半導体材料を用いたＬＥＤなどを光源として使用する場合は半導体の温度特性により、光源としての温度特性が現れ、光量やスペクトルが変化する。
上述した周期動作を一定周期のもと十分な時間繰り返すと、例えば、周期動作が点滅動作である場合、点灯開始直後の光源の温度、赤外線の光量やスペクトルは周期毎に各々毎回同じ値になり、毎回の点灯開始から一定の時間経過後に光源から出力される赤外線の光量やスペクトルは毎回同じ値になることが期待されるが、光源が十分に冷えている状態からの点滅動作開始直後等は前述の物理量が毎回同じ値になることは期待できない。よって、ガス濃度測定装置の動作開始直後から精度よくガス濃度を算出するためには何らかの対策が必要となる。
【０００９】
これらの課題は、非分散赤外線吸収型ガス濃度測定装置に限らず、光源を有し、光の吸収、回折、散乱等を用いて媒質中の測定対象分子の数量や密度を測定する物理量測定装置に共通のものであり、また、測定対象媒質についても気相、液相、固相に依らず共通のものである。
本発明は、このような問題に鑑みてなされたもので、その目的とするところは、測定装置本体の動作開始又は再開直後から高精度に媒質中の測定対象分子の数量や密度を測定することができる光学式物理量測定装置及びその光源制御方法を提供することにある。
【課題を解決するための手段】
【００１０】
本発明の第１の態様は、複数の駆動条件を用いて装置本体内に収納された光源を周期的に駆動する光学式物理量測定装置であって、前記光源が出力する光に応じた信号を測定出力として出力する測定用光検出部と、前記光源の状態を取得する光源状態検出部と、前記光源の駆動状態を制御する光源制御部と、前記測定用光検出部からの測定出力に基づいて測定対象分子の数量又は密度を算出する演算部と、を備える。
また、本発明の第２の態様は、複数の駆動条件を用いて光源を周期的に駆動する光学式物理量測定装置の光源制御方法であって、第ｎ（ｎは１以上の整数）周期目の開始時に所定の駆動条件により前記光源を駆動する第１のステップと、前記第１のステップの期間中の所定のタイミングで前記光源の状態を取得する第２のステップと、前記第２のステップで取得した前記光源の状態に基づいて該第１のステップによる駆動を継続するか終了するかを決定する第３のステップと、を有する。
【発明の効果】
【００１１】
本発明の一態様によれば、物理量測定装置の動作開始、又は再開直後から高精度に媒質中の測定対象分子の数量や密度を測定することが可能な光学式物理量測定装置及びその光源制御方法が実現できる。
【図面の簡単な説明】
【００１２】
【図１】本発明に係る光学式物理量測定装置の実施形態１を説明するための構成図である。
【図２】本発明に係る光学式物理量測定装置の実施形態２を説明するための構成図である。
【図３】本実施形態における物理量測定装置の物理量測定方法を説明するためのフローチャートを示す図である。
【図４】（ａ）乃至（ｄ）は、本実施形態における物理量測定装置が有する光源制御方法の優位性を示す実測データを示す図である。
【図５】本実施形態における物理量測定装置の他の物理量測定方法を説明するためのフローチャートを示す図である。
【発明を実施するための形態】
【００１３】
以下の詳細な説明では、本発明の実施形態の完全な理解を提供するように多くの特定の具体的な構成について記載されている。しかしながら、このような特定の具体的な構成に限定されることなく他の実施態様が実施できることは明らかであろう。また、以下の実施形態は、特許請求の範囲に係る発明を限定するものではなく、実施形態で説明されている特徴的な構成の組み合わせの全てを含むものである。
【００１４】
以下、図面を参照して本発明の各実施形態について説明する。  
＜実施形態１＞
図１は、本発明に係る光学式物理量測定装置の実施形態１を説明するための構成図である。
図１に示すように、本実施形態１に係る光学式物理量測定装置１００は、複数の駆動条件を用いて装置本体内に収納された光源１０１を周期的に駆動する光学式物理量測定装置１００（以下、単に物理量測定装置という）である。
測定用光検出部１０２は、光源１０１が出力する光に応じた信号を測定出力として出力する。光源状態検出部１０５は、光源１０１の状態を取得する。光源制御部１０３は、光源１０１の駆動状態を制御する。演算部１０４は、測定用光検出部１０２からの測定出力に基づいて測定対象分子の数量又は密度を算出する。
【００１５】
また、光源制御部１０３は、演算部１０４からの命令により光源１０１に対して複数の駆動条件で電力供給状態を制御し、かつ、光源状態検出部１０５から取得される光源状態に応じて電力供給状態を制御する。また、演算部１０４は、光源制御部１０３を介して光源１０１を周期的に駆動する。
本発明に係る光学式物理量測定装置の光源制御方法は、複数の駆動条件を用いて光源１０１を周期的に駆動する光学式物理量測定装置の光源制御方法であり、第ｎ（ｎは１以上の整数）周期目の開始時に所定の駆動条件により光源１０１を駆動する第１のステップと、第１のステップの期間中の所定のタイミングで光源１０１の状態を取得する第２のステップと、第２のステップで取得した光源１０１の状態に基づいて第１のステップによる駆動を継続するか終了するかを決定する第３のステップと、を有する。
【００１６】
また、第ｎ（ｎは１以上の整数）周期目の開始時に実行される光源１０１の駆動条件は、複数の駆動条件の内の１つである。また、第２のステップでは、光源１０１の抵抗値に基づいて光源１０１の状態を取得する。また、第２のステップでは、参照用光検出部（図示せず）の出力に基づいて光源１０１の状態を取得する。また、ｎは１であってもよい。
つまり、第ｎ（ｎは１以上の整数）周期目の開始時には１種類以上の所定の駆動条件により、１回以上実行される、光源１０１を駆動する第１のステップと、第１のステップの期間中の所定のタイミングで光源１０１の状態を取得する、１回以上実行される、第２のステップと、第２のステップで取得した光源１０１の状態に基づいて第１のステップによる駆動を継続するか終了するかを決定する、１回以上実行される、第３のステップと、を用いて光源１０１の駆動を制御する。
【００１７】
まずここで、「光源を駆動する」とは、光源１０１に対して電力が供給されている状態を意味する。この電力の供給は、電流制御や電圧制御によって行われても良い。
また、「光源を周期的に駆動する」とは、２種類以上の複数の駆動条件により光源１０１を駆動する期間を複数回繰り返すことを意味する。ここで、駆動条件とは、光源１０１に対して供給又は印加する電力、電圧又は電流の大きさ（０を含む）及び供給時間又は印加時間である。２種以上の複数の駆動条件は、定電力を供給する条件と、電力を供給しない条件の２種でも良い。この場合、この２種の駆動条件を交互に繰り返すことで、光源１０１を間欠駆動することができる。
【００１８】
また、「周期」とは、複数の駆動条件により光源１０１を駆動する際、ある駆動条件の変化があって以降、この駆動条件の変化と同じ変化が生じるまでの期間を「１周期」として定義するものである。上述した間欠駆動の際には、光源１０１に電力を供給する期間及び電力を供給しない期間の合計の期間が「１周期」となる。なお、ここでいう「周期」は、各周期の時間間隔が必ずしも一定である必要はなく、周期毎に異なる時間間隔で光源１０１の駆動を行っても良い。また、「光源の状態」は、後述の方法で取得することが可能である。
【００１９】
なお、測定対象の分子を含む媒質は、少なくとも物理量測定装置１００内の光源１０１と、測定用光検出部１０２との間に流入又は配置可能である。ここで、流入又は配置可能とは、光源１０１から出力された光が媒質に作用を及ぼした上で、その光そのものや励起光や散乱光又は反射光が測定用光検出部１０２に到達可能であることを意味する。
媒質が固相の場合は、光源１０１と測定用光検出部１０２の間にその置いても良い。媒質が気相の場合は、光源１０１と測定用光検出部１０２を含む適度に閉鎖された空間を用いてその中に封入しても良いし、光源１０１と測定用光検出部１０２の間の空間に媒質を直接流入しても良いし、測定に使用する光に対して十分な透過性を有する容器に入れた上でその容器を光源１０１と測定用光検出部１０２の間に置いても良い。また、媒質が液相の場合は、測定に使用する光に対して十分な透過性を有する容器に入れた上でその容器を光源１０１と測定用光検出部１０２の間に置いても良い。
【００２０】
光源１０１は、測定用光検出部１０２が感度を有する波長帯を含む光であって、測定対象の分子が吸収する光の波長帯域を含む光を出力できれば特に制限されない。例えば、測定に赤外線を用いる場合、白熱電球やセラミックヒータ、ＭＥＭＳ（Ｍｉｃｒｏ  Ｅｌｅｃｔｒｏ  Ｍｅｃｈａｎｉｃａｌ  Ｓｙｓｔｅｍｓ）ヒータや赤外線ＬＥＤ（Ｌｉｇｈｔ  Ｅｍｉｔｔｉｎｇ  Ｄｉｏｄｅ）などが、また、例えば、測定に紫外線を用いる場合、水銀ランプや紫外線ＬＥＤなどが、また、例えば、測定にＸ線を用いる場合、電子ビームや電子レーザーなどが、光源１０１として用いることができる。本実施形態１において、光源１０１は、その駆動回路を含み、点灯、消灯及び出力強度調整など出力を制御する機能を含んでもよい。
【００２１】
測定用光検出部１０２は、光源１０１が出力する光に応じて測定出力を出力する。測定用光検出部１０２は、光源１０１が出力する光の内、測定対象の分子に作用を及ぼす帯域を含む光を検出し、光電変換した測定出力を演算部１０４に出力してもよい。
また、測定用光検出部１０２は、上述の特性を有していれば特に制限されない。例えば、測定に赤外線を用いる場合、測定用光検出部１０２には、焦電センサ（Ｐｙｒｏｅｌｅｃｔｒｉｃ  ｓｅｎｓｏｒ）、サーモパイル（Ｔｈｅｒｍｏｐｉｌｅ）、ボロメータ（Ｂｏｌｏｍｅｔｅｒ）等の熱型赤外線センサや、ダイオードやフォトトランジスタ等の量子型赤外線センサ等が好適である。また、例えば、測定に紫外線を用いる場合、ダイオードやフォトトランジスタ等の量子型紫外線センサ等が好適である。また、例えば、測定にＸ線を用いる場合、各種半導体センサが好適である。
【００２２】
演算部１０４は、光源制御部１０３を介して光源１０１を周期的に駆動することができ、また、第ｎ（ｎは１以上の整数）周期目の開始時には１種類以上の所定の駆動条件により、１回以上実行される、光源を駆動する第１のステップと、第１のステップの期間中の所定のタイミングで前記光源の状態を取得する、１回以上実行される、第２のステップと、第２のステップで取得した光源の状態に基づいて第１のステップによる駆動を継続するか終了するかを決定する、１回以上実行される、第３のステップと、を用いて光源１０１の駆動を制御することができ、また、測定用光検出部１０２から取得した測定出力と事前に用意された換算式を用いて、媒質中の測定対象分子の数量や密度を算出することができれば特に制限されない。
【００２３】
光源状態検出部１０５は、光源１０１の状態を取得できれば特に制限されない。例えば、図１に示すように、光源状態検出部１０５が、光源１０１と光源制御部１０３の間に設けられ、光源１０１の抵抗値に基づいて光源１０１の状態を取得してもよい。この場合、光源１０１の端子間の電圧と光源１０１に流れる電流を検出することで、光源１０１の抵抗値を取得してもよい。また、光源１０１を定電流駆動する場合は、光源１０１の端子間電圧を検出することで光源１０１の抵抗値を取得してもよい。同様に光源１０１を定電圧駆動する場合は光源１０１に流れる電流を検出することで光源１０１の抵抗値を取得してもよい。
【００２４】
＜実施形態２＞
図２は、本発明に係る光学式物理量測定装置の実施形態２を説明するための構成図である。図１に示した実施形態１との相違は、本実施形態２においては、光源状態検出部１０５が、光源１０１から出力される光の内、測定用光検出部１０２とは別の波長帯に感度を有する参照用光検出部（図示せず）の出力に基づいて光源１０１の状態を取得する点である。
つまり、本実施形態２においては、例えば、図２に示すように、光源１０１から出力される光の内、測定用光検出部１０２とは別の波長帯に感度を有する参照用光検出部の出力に基づいて、光源１０１の状態を取得しても良い。この参照用光検出部が、感度を有する波長帯は測定対象ガスに作用を及ぼさない帯域で合っても良い。また、光源１０１の抵抗値及び参照用光検出部の出力に基づいて光源１０１の状態を取得してもよい。
【００２５】
参照用光検出部には、測定用光検出部と同様に、焦電センサ（Ｐｙｒｏｅｌｅｃｔｒｉｃ  ｓｅｎｓｏｒ）、サーモパイル（Ｔｈｅｒｍｏｐｉｌｅ）、ボロメータ（Ｂｏｌｏｍｅｔｅｒ）等の熱型赤外線センサや、ダイオードやフォトトランジスタ等の量子型赤外線センサ等が好適である。また、例えば、測定に紫外線を用いる場合、ダイオードやフォトトランジスタ等の量子型紫外線センサ等が好適である。また、例えば、測定にＸ線を用いる場合、各種半導体センサが好適である。
【００２６】
またここで、光源１０１の状態に基づいて第１のステップによる駆動を継続するか終了するかを決定する方法としては、以下のような方法が一例として挙げられるが特にこの方法には限定されない。
例えば、光源１０１の抵抗値に基づいて光源１０１の状態を取得する場合、光源１０１の駆動により光源抵抗値が増大する場合は、光源抵抗値があらかじめ用意された基準抵抗値以上となった場合に第１のステップによる駆動を終了しても良いし、光源１０１の駆動により光源抵抗値が減少する場合は、光源抵抗値があらかじめ用意された基準抵抗値以下となった場合に第１のステップによる駆動を終了しても良い。この基準抵抗値は、物理量測定装置の校正時に装置個体ごとに任意に定めても良い。
【００２７】
また、例えば、参照用光検出部の出力に基づいて、光源１０１の状態を取得する場合、光源１０１の駆動により参照用光検出部の出力が増大する場合は、参照用光検出部の出力があらかじめ用意された基準出力値以上となった場合に第１のステップによる駆動を終了しても良いし、光源１０１の駆動により参照用光検出部の出力が減少する場合は、参照用光検出部の出力があらかじめ用意された基準出力値以下となった場合に第１のステップによる駆動を終了しても良いし、光源１０１の駆動により参照用光検出部の出力が増加減少する場合は、参照用光検出部の出力があらかじめ用意された基準出力値と一致した場合やその前後の既定の範囲に到達した場合に第１のステップによる駆動を終了しても良い。この基準出力値と前記既定の範囲は、物理量測定装置の校正時に装置個体ごとに任意に定めても良い。
【００２８】
光源制御部１０３は、演算部１０４からの命令により光源１０１に対して複数の駆動条件で電力供給状態を制御することができ、かつ、光源状態検出部１０５から取得される光源状態に応じて電力供給状態を制御することができれば特に制限されない。光源制御部１０３として、例えば、アナログＩＣ、ディジタルＩＣ及びＣＰＵ（Ｃｅｎｔｒａｌ  Ｐｒｏｃｅｓｓｉｎｇ  Ｕｎｉｔ）等が好適である。なお、演算部１０４や光源１０１自体に光源制御部１０３が含まれていても良い。
【００２９】
ここで、簡単のために、物理量測定装置１００を、赤外線を用いるガス濃度測定装置とし、光源１０１として白熱電球を用い、光源１０１を一定周期で点滅動作させる場合を考える。この点滅動作において、点灯時は定電流駆動により電力を供給し、消灯時は電力の供給を断つ。すなわち、光源制御部１０３は、光源１０１を、電力供給を断つ駆動条件と、定電流駆動により電力を供給する駆動条件を一定周期で交互に繰り返して制御する場合を考えることとする。
【００３０】
点灯時、光源１０１への電力供給を開始すると、光源１０１である白熱電球のフィラメント温度（以下「光源温度」と称する）は時間とともに上昇し、光源１０１から出力される赤外線の光量も光源温度と共に上昇する。この光源温度及び赤外線出力の上昇は光源１０１への供給電力と赤外線出力や周囲環境による熱の吸収による放出電力とが一致するまで続く。すなわち、点灯中、光源温度は昇温過程にある。また、消灯時、光源１０１への電力供給を断ち、消灯させると光源温度は、周囲環境温度と一致するまで徐々に下がっていく。すなわち、消灯中、光源温度は冷却過程にある。
【００３１】
冷却過程が十分に長く、毎回光源温度が周囲環境温度と一致するまで冷却されるのであれば、光源点灯開始時の光源温度は、十分に長い時間周期的に駆動を繰り返した後（以下、定常駆動時という）でも、周期駆動開始直後又は定常駆動時の消灯時間よりも十分長い時間駆動を停止していた状態からの周期駆動再開直後（以下、まとめて、駆動開始時という）でも同じ光源温度となる。
しかし、冷却過程が、光源温度が周囲環境温度と一致するまで冷却されるほど長くない場合、２回目以降の点灯開始時の光源温度は周囲環境温度よりも高い温度となる。この点灯開始時の光源温度は間欠駆動を繰り返すことで徐々に上昇し、やがて定常駆動時の点灯開始時の光源温度に収束する。毎回の間欠駆動の点灯状態における駆動条件が同一であれば、点灯開始時の光源温度の違いは点灯開始から一定の時間経過後の光源温度の違い、すなわち、光源１０１から出力される赤外線の光量及びスペクトルの差異となって現れる。
【００３２】
上述したように、従来技術による非分散赤外線吸収型ガス濃度測定装置は、例えば、光源を所定時間点灯させている間に赤外線検出部から検出された信号の最大値や、光源が点灯している時の所定期間に赤外線検出部から検出された信号を積分した値や、光源の点灯開始から所定時間経過後に赤外線検出部で検出された信号などを用いている。よって、冷却過程が、毎回光源温度が周囲環境温度と一致するまで冷却されるほど長くない場合においては、ガス濃度測定装置の駆動開始時と、駆動開始から十分な時間が経過した定常駆動時とではガス濃度の算出に用いる物理量、すなわち、光源を所定時間点灯させている間に赤外線検出部から検出された信号の最大値や、光源が点灯している時の所定期間に赤外線検出部から検出された信号を積分した値や、光源の点灯開始から所定時間経過後に赤外線検出部で検出された信号などが異なってしまうため、動作開始直後は精度よくガス濃度を算出することができない。
【００３３】
上述した例では、簡単のため、光源１０１として白熱電球を用い、完全な点滅動作をさせる場合について説明したが、上述したいずれの光源を用いても、光源１０１を消灯状態と点灯状態を交互に繰り返す、または光源１０１の出力を周期的に変化させる等により、光源１０１の駆動条件を周期的に変化させる際には駆動開始時と定常駆動時とでは、周期上の同一時刻において光源１０１から出力される光量やスペクトルは異なり、測定出力も異なる。
【００３４】
すなわち、物理量測定装置１００の駆動開始直後から、定常駆動時と同等の光源１０１の状態を作り出すことができれば、駆動開始時から精度よく測定対象分子の数量や密度を算出することができる。そのために、物理量測定装置１００は光源１０１の駆動開始時に１種類以上の所定の駆動条件により、１回以上実行される、光源１０１を駆動する第１のステップと、第１のステップの期間中の所定のタイミングで光源１０１の状態を取得する、１回以上実行される、第２のステップと、第２のステップで取得した光源１０１の状態に基づいて該第１のステップによる駆動を継続するか終了するかを決定する、１回以上実行される、第３のステップと、を有する光源制御方法を用いることとしている。
【００３５】
この光源制御方法により物理量測定装置１００は、光源１０１の駆動開始時から光源１０１の状態を定常駆動時と一致させることができ、精度よく測定対象分子の数量や密度（この例の場合、具体的にはガス濃度）を算出することができる。
また、実際には定常駆動時にも外気温度の変化等により、光源１０１の点灯開始時の光源１０１の温度は周期ごとに変化し得る。よって、定常駆動時であっても精度よく測定対象分子の数量や密度（この例の場合、具体的にはガス濃度）を算出するために、毎回の点灯開始時の光源１０１の状態は揃えられることが望ましい。そのために、物理量測定装置１００は第ｎ（ｎは１以上の整数）周期目の開始時に１種類以上の所定の駆動条件により、１回以上実行される、光源１０１を駆動する第１のステップと、第１のステップの期間中の所定のタイミングで光源１０１の状態を取得する、１回以上実行される、第２のステップと、第２のステップで取得した光源１０１の状態に基づいて第１のステップによる駆動を継続するか終了するかを決定する、１回以上実行される、第３のステップと、を有する光源制御方法を用いてもよい。
【００３６】
この光源制御方法により物理量測定装置１００は、毎回の点灯開始時の光源１０１の状態を一致させることができ、精度よく測定対象分子の数量や密度（この例の場合、具体的にはガス濃度）を算出することができる。
また、光源１０１を駆動することにより光源温度が上昇すればするほど、光源温度上昇幅に対する光源状態を示す物理量の変化幅がより大きくなる場合は、毎回の点灯開始時の光源１０１の状態をより素早くそろえるために、毎回の点灯開始時、定電圧駆動を用いる１回目の第１ステップと、１回目の第１のステップの期間中の所定のタイミングで光源１０１の状態を取得する１回目の第２のステップと、１回目の第２のステップで取得した光源１０１の状態に基づいて第１のステップによる駆動を継続するか終了するかを決定する、１回以上実行される、第３のステップと、を有し、１回目の第１ステップによる駆動終了後は定電流駆動を用いる２回目の第１ステップと、２回目の第１のステップの期間中の所定のタイミングで光源１０１の状態を取得する２回目の第２のステップと、２回目の第２のステップで取得した光源１０１の状態に基づいて第１のステップによる駆動を継続するか終了するかを決定する、１回以上実行される、第３のステップと、をする光源制御方法を用いてもよい。
【００３７】
この光源制御方法により物理量測定装置１００は、毎回の点灯開始時の光源１０１の状態を素早く一致させることができ、精度よく測定対象分子の数量や密度（この例の場合、具体的にはガス濃度）を算出することができる。なお、駆動することにより光源温度が上昇すればするほど、光源温度上昇幅に対する光源状態を示す物理量の変化幅がより大きくなる光源１０１として白熱電球を、物理量として白熱電球のフィラメント抵抗値を用いても良い。
上述した実施形態及び後述する実施例は、本発明の技術的思想を具体化するための装置や方法を例示するものであって、本発明の技術的思想は、構成部品の材質、形状、構造、配置等を特定するものでない。本発明の技術的思想は、特許請求の範囲に記載された請求項が規定する技術的範囲内において、種々の変更を加えることができる。
【００３８】
以下、本実施形態による物理量測定装置１００について実施例を用いてより具体的に説明する。
図３は、本実施形態における物理量測定装置の物理量測定方法を説明するためのフローチャートを示す図である。
物理量測定装置１００は、まず、ステップＳ１０１では、測定出力（最大値）を初期化して光源１０１を点灯する。ステップＳ１０１の次のステップＳ１０２では、測定用光検出部１０２から最新の測定出力、測定出力（最新値）を取得する。ステップＳ１０２の次のステップＳ１０３では、ステップＳ１０２で取得した測定出力（最新値）がその時点で保持している測定出力（最大値）より大きければ測定出力（最新値）を新たな測定出力（最大値）として更新する。ただし、測定出力（最大値）の初期化後１回目の測定出力（最新値）に対しては、Ｓ１０３内の真偽判定は常に真とする。
【００３９】
ステップ１０３の次のステップ１０４では、光源抵抗値を取得することで光源状態を取得し、光源抵抗値が基準抵抗値未満であれば光源を点灯した状態のまま、ステップＳ１０２に戻り、基準抵抗値以上であればステップＳ１０５に進む。ステップＳ１０５では、光源１０１を消灯し、保持している測定出力（最大値）に基づいて物理量を算出する。
ステップＳ１０５の次のステップＳ１０６では、物理量測定装置１００が測定終了の命令を受けているかを判定し、その結果が真であれば測定を終了し、偽であればステップＳ１０７に進む。ステップＳ１０７では、直前の光源消灯から既定時間経過しているかを判定し、判定結果が真となるまでステップＳ１０７にとどまる。
【００４０】
ステップＳ１０７の次のステップ１０８では、ステップ１０１と同様に測定出力（最大値）を初期化して光源１０１を点灯する。ステップＳ１０８の次のステップＳ１０９では、ステップＳ１０２と同様に測定出力（最新値）を取得する。ステップＳ１０９の次のステップＳ１１０では、ステップＳ１０３と同様に測定出力（最大値）を更新する。ステップＳ１１０の次のステップＳ１１１では、直前の光源点灯から規定時間経過しているかを判定し、判定結果が偽ならばステップＳ１０９に戻り、真ならばステップＳ１１２に進む。
ステップＳ１１２では、ステップＳ１０５と同様に光源１０１を消灯し、保持している測定出力（最大値）に基づいて物理量を算出する。ステップＳ１１２の次のステップＳ１１３では、ステップＳ１０６と同様に物理量測定装置１００が測定終了の命令を受けている場合は測定を終了し、そうでない場合はステップＳ１０７に戻る。
【００４１】
本実施形態における物理量測定装置１００は、光源１０１を周期的に駆動して物理量を算出するが、第２周期目以降の測定についてはステップＳ１０７からステップＳ１１３までを繰り返すことで一定時間周期で光源１０１を点灯、消灯する。一方、第１周期目の測定については光源１０１点灯後、光源抵抗値が基準光源抵抗値以上になるまで消灯を行わない。この基準光源抵抗値には第２周期目以降に一定時間周期での光源１０１の点灯、消灯を十分に繰り返した場合にステップＳ１１２で光源１０１を消灯する直前の光源抵抗値を用いる。
こうすることで、本実施形態における物理量測定装置１００は、第１周期目から定常動作時の測定出力（最大値）と同等の値を用いて物理量を算出することができ、精度よく測定対象分子の数量や密度を算出することができる。
【００４２】
図４（ａ）乃至（ｄ）は、本実施形態における物理量測定装置が有する光源制御方法の優位性を示す実測データを示す図である。
実測データを取得する際における物理量測定装置１００は、光源１０１の点灯時には光源１０１を定電流駆動している。図４（ａ），（ｂ）は、それぞれ光源制御方法で光源１０１を駆動した際の駆動電流波形と、測定用光検出部１０２の出力波形である。また、図４（ｃ），（ｄ）は、それぞれ、第１周期目から第２周期目以降と同様の光源１０１の点灯、消灯を行った際の駆動電流波形と測定用光検出部１０２の出力波形である。
【００４３】
図４（ｄ）の測定用光検出部１０２の出力波形は、第１周期目には第２周期目以降と比べて小さな出力しか得られていないが、図４（ｂ）の測定用光検出部１０２の出力波形は、第１周期目から第２周期目以降と同等の出力を得ることが出来ていることがわかる。これは図４（ｃ）と図４（ａ）を比較すればわかるように、光源１０１が冷えている第１周期目のみ以降より長い時間駆動することで実現されている。
なおここでは、第１周期目にのみ、光源１０１の状態を取得するステップが存在しているが、本発明はこの形態のみに限られず、第２周期目以降にも光源１０１の状態を取得するステップを有してもよい。またここでは、光源１０１の状態を光源抵抗値に基づいて取得するステップが存在しているが、本発明はこの形態のみに限られず、参照用光検出部の出力に基づいて光源１０１の状態を取得するステップを有してもよい。
【００４４】
図５は、本実施形態における物理量測定装置で実施される他の物理量測定方法を説明するためのフローチャートを示す図である。
図５に示すように、本実施形態における物理量測定装置１００は、まずステップＳ２０１では測定出力（最大値）を初期化して光源１０１を点灯する。ステップＳ２０１の次のステップＳ２０２では、測定用光検出部１０２から最新の測定出力、測定出力（最新値）を取得する。ステップＳ２０２の次のステップＳ２０３では、ステップＳ２０２で取得した測定出力（最新値）がその時点で保持している測定出力（最大値）より大きければ測定出力（最新値）を新たな測定出力（最大値）として更新する。ただし、測定出力（最大値）の初期化後１回目の測定出力（最新値）に対しては、Ｓ２０３内の真偽判定は常に真とする。
【００４５】
ステップ２０３の次のステップ２０４では、光源抵抗値を取得することで光源状態を取得し、光源抵抗値が基準抵抗値未満であればステップＳ２０２に、基準抵抗値以上であればステップＳ２０５に進む。ステップＳ２０５では光源１０１を消灯し、保持している測定出力（最大値）に基づいて物理量を算出する。ステップＳ２０５の次のステップＳ２０６では、物理量測定装置１００が測定終了の命令を受けているかを判定し、その結果が真であれば測定を終了し、偽であればステップＳ２０７に進む。ステップＳ２０７では、直前の光源消灯から既定時間経過しているかを判定し、判定結果が真となるまでステップＳ２０７にとどまり、判定結果が真となるとステップＳ２０１に戻る。
【００４６】
本実施形態における物理量測定装置１００は、光源１０１を周期的に駆動して物理量を算出するが、光源１０１点灯後、光源抵抗値が基準光源抵抗値以上になるまで消灯を行わない。この基準光源抵抗値には十分に長い時間一定時間周期での光源１０１の点灯、消灯を十分に繰り返した場合の光源１０１を消灯する直前の光源抵抗値を用いる。
こうすることで、本実施形態における物理量測定装置１００は、毎回の光源１０１の消灯時の状態を一致させることができ、その結果、単に既定の時間で点灯と消灯を周期的に繰り返す場合と比べて、次の点灯開始時の光源１０１の状態を毎回揃えることができ、これにより毎周期、既定の定常動作時の測定出力（最大値）と同等の値を用いて物理量を算出することができ、精度よく測定対象分子の数量や密度を算出することができる。
以上、本発明の各実施形態について説明したが、本発明の技術的範囲は、上述した実施形態に記載の技術的範囲には限定されない。上述した実施形態に、多様な変更又は改良を加えることも可能であり、そのような変更又は改良を加えた形態も本発明の技術的範囲に含まれ得ることが、特許請求の範囲の記載から明らかである。
【符号の説明】
【００４７】
１００  物理量測定装置
１０１  光源
１０２  測定用光検出器
１０３  光源制御部
１０４  演算部
１０５  光源状態検出部
【図１】
2017150930.tif 000003
【図２】
2017150930.tif 000004
【図３】
2017150930.tif 000005
【図４】
2017150930.tif 000006
【図５】
2017150930.tif 000007